(57)【要約】      （修正有）【課題】簡単な操作で確実に水密に設置できるとともに、狭いスペースに設置されている場合にも、容易に取り外して点検・メンテナンスをすることができる床排水トラップを提供する。【解決手段】垂直円筒部１ａにフランジ１ｂを有するエルボ１、エルボ１を床に固定する床固定部材４および封水筒６を備えた床排水トラップＡであって、床固定部材４の上部の平面形状が略矩形であり、床固定部材４はその上に略矩形のカバー５を取り付けることが可能であり、床固定部材４にカバー５を取り付けた際、その締付力により、エルボ１のフランジ１ｂの下面が、床固定部材４の環状段差部４ｂに水密に押圧される。【選択図】図１
2015197036.tif 000002
【特許請求の範囲】
【請求項１】
垂直円筒部にフランジを有するエルボ、エルボを床に固定する床固定部材および封水筒を備えた床排水トラップであって、床固定部材の上部の平面形状が略矩形であり、床固定部材はその上に略矩形のカバーを取り付けることが可能であり、床固定部材にカバーを取り付けた際、その締付力により、エルボのフランジの下面が、少なくとも床固定部材の環状段差部に水密に押圧されることを特徴とする床排水トラップ。
【請求項２】
床固定部材にカバーを取り付けた際、エルボのフランジの下面が、少なくとも床固定部材の環状段差部に、環状シールを介して水密に押圧されることを特徴とする請求項１に記載の床排水トラップ。
【請求項３】
床固定部材にカバーを取り付けた際、その締付力がリングを介してエルボのフランジに伝達されるとともに、フランジの下面が、少なくとも床固定部材の環状段差部に、環状シールを介して水密に押圧されることを特徴とする請求項１または２に記載の床排水トラップ。
【請求項４】
リングが、２個の部材から構成され、２部材が係合した状態でエルボ垂直円筒部を囲繞してフランジ上に位置することを特徴とする請求項１ないし３のいずれかに記載の床排水トラップ。
【請求項５】
エルボが一体成形されたエラストマー製であることを特徴とする請求項１ないし４のいずれかに記載の床排水トラップ。
【請求項６】
環状シールの形状が、平ワッシャー状、断面凸状の平ワッシャー状、または、Ｏ−リングであることを特徴とする請求項１ないし５のいずれかに記載の床排水トラップ。
【請求項７】
平ワッシャー状の環状シールが（１）フランジと、（２）スロートの上端部、カップの上端部および床固定部材の環状段差部、との間が水密となるように押圧されることを特徴とする請求項１ないし６のいずれかに記載の床排水トラップ。
【請求項８】
垂直円筒部にフランジを有するエルボ、エルボを床に固定する床固定部材および封水筒を備えた床排水トラップであって、床固定部材の上部の平面形状が略矩形であり、床固定部材はその上に略矩形のカバーを取り付けることが可能であり、床固定部材へのカバーの取り付けは、床固定部材の２側面に設けられたガイドレールに沿ってカバーをスライドさせることによってなされ、スライドにより床固定部材にカバーを取り付けた際、その締付力により、エルボのフランジの下面が、少なくとも床固定部材の環状段差部に水密に押圧されることを特徴とする床排水トラップ。
【請求項９】
垂直円筒部にフランジを有するエルボ、エルボを床に固定する床固定部材および封水筒を備えた床排水トラップであって、床固定部材の上部の平面形状が略矩形であり、床固定部材はその上に略矩形のカバーを取り付けることが可能であり、床固定部材へのカバーの取り付けは、床固定部材の２側面に設けられたスナップ留め具と、カバーの２側面に設けられたスナップ留め具とを係合させることによってなされ、スナップ留めにより床固定部材にカバーを取り付けた際、その締付力により、エルボのフランジの下面が、少なくとも床固定部材の環状段差部に水密に押圧されることを特徴とする床排水トラップ。
【請求項１０】
床固定部材にカバーを取り付けた際、エルボのフランジの下面が、少なくとも床固定部材の環状段差部に、環状シールを介して水密に押圧されることを特徴とする請求項８または９に記載の床排水トラップ。
【請求項１１】
床固定部材にカバーを取り付けた際、その締付力がリングを介してエルボのフランジに伝達されるとともに、フランジの下面が、少なくとも床固定部材の環状段差部に、シールを介して水密に押圧されることを特徴とする請求項８ないし１０に記載の床排水トラップ。
【請求項１２】
リングが、２個の部材から構成され、２部材が係合した状態でエルボ垂直円筒部を囲繞してフランジ上に位置することを特徴とする請求項８ないし１１のいずれかに記載の床排水トラップ。
【請求項１３】
エルボが一体成形されたエラストマー製であることを特徴とする請求項８ないし１２のいずれかに記載の床排水トラップ。
【請求項１４】
環状シールの形状が、平ワッシャー状、断面凸状の平ワッシャー状、または、Ｏ−リングであることを特徴とする請求項８ないし１３のいずれかに記載の床排水トラップ。
【請求項１５】
平ワッシャー状の環状シールが（１）フランジと、（２）スロートの上端部、カップの上端部および床固定部材の環状段差部、との間が水密となるように押圧されることを特徴とする請求項８ないし１４のいずれかに記載の床排水トラップ。
【発明の詳細な説明】
【技術分野】
【０００１】
本発明は、床面等に取り付けて使用する床排水トラップに関する。
【背景技術】
【０００２】
電気洗濯機等からの排水を床下に排出する場合、床排水トラップが使用される。
床排水トラップは、単に洗濯機等からの排水を流すだけでなく、排水の一部を貯留し、これにより臭気の逆流を阻止する機能を備えているが、洗濯機等からの排水は、洗濯容量が多い場合等には相当の水勢となるため、水圧によりトラップの接続部からの漏水や滲水が発生することがある。
【０００３】
洗濯機は、一旦設置されると長期にわたって同一位置で使用されるが、その排水を受ける床排水トラップは、目詰まりの恐れ等もあり、定期的に点検やメンテナンス（清掃等）を行うことが必要である。このため、床排水トラップは、漏水や滲水の恐れがない状態で確実に設置・固定が可能であると同時に、点検やメンテナンス等に際しては容易に取り外し可能であるという、相反する要請に応えなければならない。
【０００４】
図１１は、従来技術に床排水トラップ６１の断面の模式図である。この従来技術は、軟質合成樹脂の弾性を利用して上記要請に応えようとするものである（特許文献１参照）。
同図において、６２は床板、６３はその下方に配設された排水管、６４は口部筒（床固定部材）である。口部筒６４は排水管６３の上端部に固着され、そのフランジ６４ａが床板６２に固定される。６５は口部筒６４に取り付けられる封水槽、６６は封水槽６５内に位置する排水筒である。６７は、軟質合成樹脂製の口部栓体であって、エルボ６７ａと水密に連設されている。口部栓体６７は、軟質合成樹脂の弾力を利用して口部筒６４に挿入され、排水筒６６を封水槽６５内の適所に位置させている。口部栓体６７の外周には、凹部６７ｂが設けられており、口部筒６４の内周に設けられた凸部と係合する。
同図の床排水トラップでは、洗濯機（図示せず）から排出された排水は、エルボ６７ａを介して排水筒６６内に流入し、その外周と封水槽６５の内周の間を上方に流れ、封水槽６５の上端部の溢水口６５ａから封水槽６５の外周に溢出し、排水管６３の下流側へと排出される。
上述の経路で排出される排水の一部は、封水槽６５および排水筒６６内の溢水口６５ａより低い部分に滞留し、臭気の逆流を防止する。
しかしながら、上記従来技術による床排水トラップは、洗濯機からの排水の勢いが激しい時などには、その水勢に十分に抗することができず、トラップの上部から水が滲み出てしまい、カビの発生等を惹起するという問題があった（特許文献２参照）。
【０００５】
上述の問題を解決しうる従来技術として、ネジによる締め付けを利用した床排水トラップが知られている。
その一例として、特許文献２に記載のものをあげることができる。図１２は同文献記載の床排水トラップの断面図、図１３はその上面図である。
図１２において、７０は床板、７１は排水管、７２はトラップ本体、７３は筒体（床固定部材）である。筒体７３は排水管７１の上端部に固着され、そのフランジ７３ａが床板７０に固定される。７４はこの筒体７３に取り付けられる封水槽（カップ）、７５は封水槽７４内に位置する仕切り壁（スロート）である。７６はエルボであり、その開口端が洗濯機の排水ホース（図示せず）に接続される。７７は締付ナット（ロックナット）であり、その上部の外周には突部７７ａが、その下部の外周に雄ネジ部７７ｂが形成されている。筒体７３の上部の内周には雌ネジ部７３ｂが形成されており、締付ナット７７の雄ネジ部７７ｂを筒体７３の雌ネジ部７３ｂと螺合させることにより、エルボ７６とトラップ本体７２とを両者のフランジで水密に接続することができる。エルボ７６から流入した洗濯機からの排水は、トラップ７２の仕切壁７５の左側を流下し、その右側の空間を上方に流れ、その上端の開口部より流出する。
図１３は、図１２の床排水トラップの上面図であり、７３は筒体、７６はエルボ、７７は締付ナット（ロックナット）を示す。締付ナット７７の外周部には、突部７７ａが形成されている。突部７７ａは、締付ナット７７の雄ネジ部７７ｂと筒体７３の雌ネジ部７３ｂとの螺合を容易化するためのものである。
【０００６】
締付ナットによる締め付けを利用した床排水トラップの他の例として、図１４に記載のものをあげることができる（特許文献３参照）。
図１４のものは、筒体（床固定部材）８０、トラップ本体８１，トラップ椀８２、エルボ８３、締付ナット８４等から構成され、締付ナット８４の雄ネジ部８４ａと筒体８０の雌ネジ部８０ａとの螺合の容易化のため、締付ナット８４の外周に径拡大部８４ｂと蝶ネジ部８４ｃが形成されている。
締付ナットによる締め付けを利用した床排水トラップのさらに他の例としては、特許文献４に記載のものも知られており、この従来技術では、締付ナットの外周面に多数の突起が形成されている。
【先行技術文献】
【特許文献】
【０００７】
【特許文献１】実用新案登録公報２５２７３３７号公報
【特許文献２】特開２００２−４３７７号公報
【特許文献３】実用新案登録公報３０７３７７９号公報
【特許文献４】特開平９−２０９４３１号公報
【発明の概要】
【発明が解決しようとする課題】
【０００８】
従来技術による挿入式の床排水トラップは、上述のとおり、排水の滲出を防止することが困難であった。また、締付ナット式の床排水トラップは、この問題を一応解決することができるが、次のような問題があった。
すなわち、締付ナット式の床排水トラップは、その取付けに際し、締付ナットの回転に同期してエルボ等が回転するという問題がある。このため、取り付け時にエルボおよび排水ホースを意図した方向で固定するのが容易でない。その場合、エルボ等の方向を無理に矯正すると、排水ホースがねじれてしまったり、締付力が低下して漏水や滲水が発生したりすることがある。
床排水トラップは、洗濯機と壁の間の狭いスペースに設置されることが多く、しかも、洗濯機横側後方に位置取りされることが少なくない。このため、点検やメンテナンス作業を行う際、壁面と洗濯機の間の狭い空間に片手を伸ばした状態で締付ナットを回してエルボ等を取り外すことになるが、このような状態で取り外し作業を遂行することは、必ずしも容易ではない。その際、エルボが回転すると、困難度がさらに高まることになる。
また、点検・メンテナンス等の終了後、締付ナットを元の状態に復そうとしても、操作者が非力の場合などには、十分な力で締め付けることができず、漏水や滲水が発生することがある。
したがって、従来の床排水トラップでは、作業者レベルの事情などにより、漏水事故の発生確率が高まるとの問題もあった。
【０００９】
本発明は、取り付け・取り外しの際の操作性を大幅に改善した床排水トラップを提供することをその目的・課題とする。
本発明は、作業者レベルの事情によらず、漏水や滲水の問題の問題を解消しうる床排水トラップを提供することをその目的・課題とする。
本発明は、また、設置時および点検・メンテナンス後においてエルボを任意の方向に設定することができる床排水トラップの提供を目的・課題とする。
本発明は、さらに、狭いスペースにも容易に設置可能な床排水トラップの提供を目的・課題とする。
【課題を解決するための手段】
【００１０】
上記目的・課題は、床排水トラップにおいて、床固定部材の上部の平面形状を略矩形とし、その上に略矩形のカバーを取り付け、カバーの取り付の際の締付力により、エルボのフランジを床固定部材の環状段差部に水密に押圧することにより達成することができる。
すなわち、本件発明の請求項１に係る発明は、垂直円筒部にフランジを有するエルボ、エルボを床に固定する床固定部材および封水筒を備えた床排水トラップであって、床固定部材の上部の平面形状が略矩形であり、床固定部材はその上に略矩形のカバーを取り付けることが可能であり、床固定部材にカバーを取り付けた際、その締付力により、エルボのフランジの下面が、少なくとも床固定部材の環状段差部に水密に押圧されることを特徴とする。
請求項２に係る発明は、請求項１の床排水トラップにおいて、前記床固定部材にカバーを取り付けた際、エルボのフランジの下面が、少なくとも床固定部材の環状段差部に、環状シールを介して水密に押圧されることを特徴とする。
請求項３に係る発明は、請求項１または２の床排水トラップにおいて、床固定部材にカバーを取り付けた際、その締付力がリングを介してエルボのフランジに伝達されるとともに、フランジの下面が、少なくとも床固定部材の環状段差部に、環状シールを介して水密に押圧されることを特徴とする。
請求項４に係る発明は、請求項１ないし３の床排水トラップにおいて、リングが、２個の部材から構成され、２部材が係合した状態でエルボ垂直円筒部を囲繞してフランジ上に位置することを特徴とする。
請求項５に係る発明は、請求項１ないし４のいずれかの床排水トラップにおいて、エルボが一体成形されたエラストマー製であることを特徴とする。
請求項６に係る発明は、請求項１ないし５のいずれかの床排水トラップにおいて、環状シールが平ワッシャー状、断面凸状の平ワッシャー状、または、Ｏ−リングであることを特徴とする。
請求項７に係る発明は、請求項１ないし６のいずれかの床排水トラップにおいて、平ワッシャー状の環状シールが（１）フランジと、（２）スロートの上端部、カップの上端部および床固定部材の環状段差部、との間が水密となるように押圧されることを特徴とする。
請求項８に係る発明は、垂直円筒部にフランジを有するエルボ、エルボを床に固定する床固定部材および封水筒を備えた床排水トラップであって、床固定部材の上部の平面形状が略矩形であり、床固定部材はその上に略矩形のカバーを取り付けることが可能であり、床固定部材へのカバーの取り付けは、床固定部材の２側面に設けられたガイドレールに沿ってカバーをスライドさせることによってなされ、スライドにより床固定部材にカバーを取り付けた際、その締付力により、エルボのフランジの下面が、少なくとも床固定部材の環状段差部に水密に押圧されることを特徴とする。
請求項９に係る発明は、垂直円筒部にフランジを有するエルボ、エルボを床に固定する床固定部材および封水筒を備えた床排水トラップであって、床固定部材の上部の平面形状が略矩形であり、床固定部材はその上に略矩形のカバーを取り付けることが可能であり、床固定部材へのカバーの取り付けは、床固定部材の２側面に設けられたスナップ留め具と、カバーの２側面に設けられたスナップ留め具とを係合させることによってなされ、スナップ係合により床固定部材にカバーを取り付けた際、その締付力により、エルボのフランジの下面が、床固定部材の環状段差部に水密に押圧されることを特徴とする。
請求項１０に係る発明は、請求項８または９の床排水トラップにおいて、床固定部材にカバーを取り付けた際、エルボのフランジの下面が、少なくとも床固定部材の環状段差部に、環状シールを介して水密に押圧されることを特徴とする。  
請求項１１に係る発明は、請求項８ないし１０のいずれかの床排水トラップにおいて、床固定部材にカバーを取り付けた際、その締付力がリングを介してエルボのフランジに伝達されるとともに、フランジの下面が、少なくとも床固定部材の環状段差部に、シールを介して水密に押圧されることを特徴とする。
請求項１２に係る発明は、請求項８ないし１１のいずれかの床排水トラップにおいて、リングが、２個の部材から構成され、２部材が係合した状態でエルボ垂直円筒部を囲繞してフランジ上に位置することを特徴とする。
請求項１３に係る発明は、請求項８ないし１２のいずれかの床排水トラップにおいて、エルボが一体成形されたエラストマー製であることを特徴とする。
請求項１４に係る発明は、請求項８ないし１３のいずれかの床排水トラップにおいて、環状シールが平ワッシャー状、断面凸状の平ワッシャー状、または、Ｏ−リングであることを特徴とする。
請求項１５に係る発明は、請求項８ないし１４のいずれかの床排水トラップにおいて、平ワッシャー状の環状シールが（１）フランジと、（２）スロートの上端部、カップの上端部および床固定部材の環状段差部、との間が水密となるように押圧されることを特徴とする。
【発明の効果】
【００１１】
本発明によれば、取り付け・取り外しの際の操作性を大幅に改善・容易化した床排水トラップを提供することができる。
本発明によれば、作業者レベルの事情によらず、常に一定の水密性を確保することが可能であって、床排水トラップの漏水や滲水の問題が解消される床排水トラップが提供される。
本発明によれば、漏水や滲水の発生の恐れなくエルボの方向を任意に設定することができる床排水トラップが提供される。
本発明によれば、洗濯機と壁との間の狭いスペースに設置された場合にも、点検・メンテナンスが容易な床排水トラップを提供することができる。
本発明によれば、トラップの高さ寸法をより小さくすることができる。
さらに、本発明によれば、洗濯機の排水ホース内に残留する排水の量を大幅に削減することができる。
【図面の簡単な説明】
【００１２】
【図１】本発明の第１の実施形態による床排水トラップの分解斜視図。
【図２】本発明の第１の実施形態による床排水トラップを斜め下方から見た斜視図。
【図３】本発明の第１の実施形態による床排水トラップのリングの説明図。
【図４】本発明の第１の実施形態による床排水トラップを組み立てた状態の斜視図。
【図５】本発明の第１の実施形態による床排水トラップの断面図。
【図６】本発明の第１の実施形態による床排水トラップの断面図。
【図７】本発明の第２の実施形態による床排水トラップの断面図。
【図８】本発明の第３の実施形態による床排水トラップの斜視図。
【図９】本発明による床排水トラップと従来の床排水トラップを比較した上面図。
【図１０】本発明による床排水トラップと従来の床排水トラップを比較した断面図。
【図１１】従来の床排水トラップの断面図。
【図１２】従来の床排水トラップの断面図。
【図１３】従来の床排水トラップの上面図。
【図１４】従来の床排水トラップの分解斜視図。
【発明を実施するための形態】
【００１３】
以下、本発明の実施形態について、図面を参照しつつ説明する。
図１ないし図６は、本発明の第１の実施形態による床排水トラップＡを示す。
図１は、床排水トラップＡの分解斜視図であり、同図において、１はエルボ（ホースジョイント）であり、その水平部の端部に洗濯機の排水ホース（図示せず）が接続される。エルボ１の下方に垂直円筒部１ａが延在し、その外周にフランジ１ｂが設けられている。垂直円筒部１ａのフランジ下方の外周に突条部１ｃが設けられている。エルボ１は、好ましくはエラストマー製であり、一体成形される。エラストマーとしては、軟質ゴム、軟質合成樹脂などが使用可能である。
２はリングであって、図３で詳細に説明するとおり、２ａおよび２ｂの２部材から構成される。
３は環状のシールであり、好ましくは、シリコンゴム製である。環状シール３の形状は、平ワッシャー状、断面凸状の平ワッシャー状であってよく、Ｏ−リングであってもよい。
４は略矩形状の床固定部材であって、その上部の形状は角部にＲが付された略矩形であり、下方に垂直円筒部４ａが延在する。垂直円筒部４ａの内周には、環状段部４ｂが存在する（垂直円筒部４ａの断面構造について、図５を併せて参照）。床固定部材４は、取付孔４ｃにより、ビスなどで床板（図示せず）に取り付けられる。
床固定部材４の対向する２辺の端部は、ガイドレール４ｄを構成している。
床固定部材４の上面には段差が存在し、その上段部の上面４ｅと下段部の上面４ｆとは異なる高さに構成されている。下段部の上面４ｆは平面であり、その上をスライドカバー５がスライド移動する。上段部４ｅの形状および厚みは、スライドカバー５の取付時において、その厚みおよび形状に対応するように形成されている。
スライドカバー５の平面形状は略矩形状であり、その対向する２辺にコの字形状の係合部５ａが設けられている。スライドカバー５は、係合部５ａで床固定部材４のガイドレール４ｄと係合し、これに沿ってスライドする。スライドカバー５を取り付ける際には、たとえば、その後端部５ｂを指などで押圧する。取り外す時は、たとえば、爪部５ｃを利用してカバー５をスライドさせる。
６は封水筒であり、６ａはそのスロート、６ｂはカップである。エルボ１から流入した排水は、スロート６ａ内を流下し、スロート６ａとカップ６ｂとの間に形成されるスペース内を上方に流れ、カップ６ｂの開口部６ｃから流出する。
【００１４】
図２は、床排水トラップＡを斜め下方から見た斜視図である。同図において、１はエルボ、４は床固定部材である。５はスライドカバーであり、その係合部５ａが、床固定部材４のガイドレール４ｄに沿ってスライドする。スライドカバー５の下面に凸部５ｄが設けられており、当該凸部と、床固定部材４の上面に形成された凹部４ｇ（図１参照）との係合により、スライドカバー５が固定される。
【００１５】
図３は、床排水トラップＡのリング２の説明図である。
リング２は、２ａと２ｂの２部材から構成され、部材２ａと２ｂが係合状態でエルボ１の垂直円筒部１ａを囲繞し、フランジ１ｂの上面に配置される。
部材２ａ、２ｂは、それぞれ係合部２ｃ、２ｄを有している。係合部２ｃは部材２ａの側部に延在し、その上面には凸部２ｅを有している。係合部２ｄの下面には凹部（図示せず）が設けられている。係合部２ｃの上面の凸部２ｅと、係合部２ｄの下面の凹部（図示せず）とが係合することにより、部材２ａと２ｂから１個のリングが形成される。
リングの上面２ｆ・２ｈの外周端部には図示のように傾斜が設けられている。
部材部材２ａおよび２ｂの形状は、いずれも左右対称である。２ａの係合部２ｃに対応する左右対称の位置にも係合部（図示せず）が設けられており、その上面に突部（図示せず）が設けられている。同様に、２ｂの係合部２ｄに対応する左右対称の位置にも係合部（図示せず）が設けられており、その下面には凹部（図示せず）が設けられている。
部材２ｂの上面には段差が設けられており、その上段部の上面２ｇと下段部の上面２ｈは高さ位置が異なる。２ａ・２ｂが係合した状態において、下段部の上面２ｈは、部材２ａの上面２ｆと面一となる。２ｇについては次図で説明する。
【００１６】
図４は、床排水トラップＡが組み立てられた状態を示す斜視図である。同図において、１はエルボ、４は床固定部材、４ａはその垂直円筒部、５はスライドカバー、５ａはその係合部、５ｃはその爪部である。６ｂは封水筒６のカップであり、６ｃはその開口部である。
２ｇは、リング２の部材２ｂの上段部の上面である。
５ｇは、スライドカバー５の縁取りであり、２ｇに対応する同心円状に形成されている。
【００１７】
図５は、本発明の第１の実施形態による床排水トラップＡを、図４に示す状態で組み立てた場合における断面図であって、スライドカバー５のスライド方向と直交し、かつ、エルボ１の垂直円筒部１ａおよび封水筒６の両者の中心線を通る垂直面を示す。
図５において、１はエルボ、１ａはその垂直円筒部、１ｂはフランジ、１ｃは突条部である。２はリング、３はシールである。４は床固定部材、４ｄはそのガイドレールである。床固定部材４の下方には垂直円筒部４ａが延在する。垂直円筒部４ａはその上部を除き、外筒部４ｈおよび内筒部４ｉから構成され、外筒部４ｈと内筒部４ｉとを接続して環状段差部４ｂが設けられている。５はスライドカバー、５ａはその係合部、５ｃはその爪部、６ａは封水筒６のスロート、６ｂはそのカップである。
図示のとおり、エルボ１のフランジ１ｂ、リング２およびシール３は、床固定部材４とスライドカバー５との間に形成されるスペースに収容される。
スライドカバー５をガイドレール４ｄに沿ってスライドさせると、リング２の上面の外周端部に傾斜が設けられていることから、スライドカバー５がリング２上に乗り上げることで締付力が発生し、その締付力が、リング２およびフランジ１ｂに伝達され、フランジ１ｂと床固定部材４の環状段部４ｂとの間がシール３を介して水密となる。
また、リング２は、それ自体必須ではなく、省略することができる。その場合、たとえば、エルボ１のフランジ１ｂは、その上面が下面と平行であり、スライドカバー５が装着された状態において、シール３に対し、水密性の保持に必要な圧力を及ぼしうる厚みとされる。
さらに、シールも必ずしも必須ではなく、これを省略しても、たとえば、エルボが一体成形されたエラストマーである場合など、フランジの下面と環状段差部の表面とが、両者の間に間隙を生じない状態で対面可能な場合には、水密性を確保することができる。  
【００１８】
図６は、図４の状態で組み立てた床排水トラップＡの断面図であり、スライドカバー５のスライド方向に平行であり、かつ、エルボ１の垂直円筒部１ａおよびカップ６ｂの中心線を通る垂直面を示す。
同図において、１はエルボ、１ａはその垂直円筒部、１ｂはフランジ、１ｃは突条部であり、２はリング、３はシールである。４は床固定部材、４ａはその垂直円筒部、５はスライドカバー、６ａは封水筒６のスロート、６ｂはそのカップ、６ｃは開口部である。
スロート６ａは、カップ６ｂの内部に収納され、カップ６は、床固定部材の垂直円筒部４ａの内筒部４ｉの内面に接した状態で３６０°回転可能である。
エルボ１の開口から流入した水は、エルボ１の垂直円筒部１ａおよびスロート６ａの内部を流下した後、スロート６ａとカップ６ｂの間を上方に流れてカップ６ｂの開口部６ｃから流出する。
【００１９】
次に、本発明の第２の実施形態による床排水トラップＢについて説明する。この第２の実施形態による床排水トラップは、第１の実施形態のものと同様にスライドカバーのスライドに基づく締結力を利用するものであり、その組み立て後の外観は第１の実施形態の床排水トラップＡの図４と同様である。
図７は、第２の実施形態の床排水トラップＢの断面図であって、第１の実施形態の図４と同様の状態で組み立てた床排水トラップＢを、スライドカバーのスライド方向に平行で、かつ、エルボの垂直円筒部およびカップの中心線を通る垂直面で切断して示したものである。なお、図７において、図１〜図６と同一の部材には同一の符号が付されている。
図７において、１’はエルボ、１ａ’は垂直円筒部、１ｂ’はフランジであり、２’はリング、３’はシールである。４’は床固定部材、４ａ’はその垂直円筒部、５’はスライドカバー、６ａ’は封水筒６’のスロート、６ｂ’はそのカップである。
スロート６ａ’は、カップ６ｂ’の内部に収納され、カップ６’は、床固定部材の垂直円筒部４ａ’の内面に接した状態で３６０°回転可能である。
本実施形態では、スロート６ａ’の上端６ｄ’と、カップ６ｂ’の上端６ｅ’と、床固定部材４’の環状段差部４ｂ’は面一に構成されており、その上に、その形状が平ワッシャー状のシール３’が載置されている。床固定部材４’の下部の垂直筒部４ａ’は、第１の実施形態とは異なり、一重の円筒から構成されている。
本実施形態では、第１の実施形態と同様に、エルボ１’のフランジ１ｂ’、リング２’およびシール３’は、床固定部材４’とスライドカバー５’との間に形成されるスペースに収容されており、スライドカバー５’を床固定部材４’のガイドレール（図示せず）に沿ってスライドさせた際に生じる締付力が、リング２’およびフランジ１ｂ’に伝達され、（１）フランジ１ｂ’と、（２）スロート６ａ’の上端部６ｄ’、カップ６ｂ’の上端部６ｅ’および床固定部材４’の環状段差部４ｂ’、との間がシール３’を介して水密となる。
本実施形態では、（１）フランジ１ｂ’と、（２）スロート６ａ’の上端６ｄ’、カップ６ｂ’の上端６ｅ’および床固定部材４’の環状段差部４ｂ’、との間がいずれも水密となるように構成されているが、少なくとも（１）フランジ１ｂ’と、（２）床固定部材４’の環状段差部４ｂ’との間が水密となる構成であれば、床排水トラップとしての実用上は支障なく、そのような形態も本発明に包含される。
また、リング２’は、それ自体必須ではなく、省略することができる。その場合、たとえば、エルボ１’のフランジ１ｂ’は、その上面が下面と平行であり、スライドカバー５’が装着された状態において、シール３’に対し、水密性の保持に必要な圧力を及ぼしうる厚みとされる。
さらに、シールも必ずしも必須ではなく、これを省略しても、たとえば、エルボが一体成形されたエラストマー製である場合など、フランジの下面と環状段差部の表面とが、両者の間に間隙を生じない状態で対面可能な場合には、水密性を確保することができる。
【００２０】
図７に示す本発明の第２の実施形態による床排水トラップＢは、第１の実施形態の床排水トラップＡと比較して、エルボの垂直円筒部や封水筒の径を大きくすることが可能であり、その結果、より大量の排水をスムーズに排出することができる。
【００２１】
図８は、本発明の第３の実施形態による床排水トラップＣを示す。同図において、図１〜図７と同一の部材には、同一の符号が付されている。
図８は、組み立て前の床排水トラップＣを下方から見た斜視図であり、１’’はエルボ、１ａ’’はその垂直円筒部を示す。１ｂ’’はそのフランジであり、１ｃ’’はその突条部を示す。エルボ１’’は、好ましくはエラストマー製であり、一体成形される。
４’’は角にＲが付された略矩形の床固定部材であり、その下方には、垂直円筒部４ａ’’が延在している。垂直円筒部４ａ’’の内部には、環状段差部（図示せず）が存在する。
床固定部材４’’の４隅部には床面への取付穴４ｃ’’が設けられている。床固定部材４’’の対向する２辺の端部には、スナップ留め具としてスナップバー４ｄ’’が設けられている。
５’’はスナップカバーであり、その対抗する２端部にスナップ留め具としてスナップフック５ａ’’が設けられている。スナップカバー５’’には、エルボ１’’の垂直円筒部１ａ’’を、その３方から囲繞する切り欠き５ｈ’’が形成されている。
３’は環状のシールであり、平ワッシャー状の形状を有する。好ましくは、シリコンゴム製である。
エルボ１’’のフランジ１ｂ’’の上面には、上記切り欠き５ｈ’’の厚み・形状に対応する段差が設けられており、その上段部１ｄ’’の上面１ｅ’’は、スナップカバー５’’が床固定部材４’’のスナップバー４ｄ’’にスナップ留めされた状態で、スナップカバー５’’の上面と面一となる。
同様に、床固定部材４’’の上面にも切り欠き５ｈ’’の厚み・形状に対応する段差が設けられており、段差部の上面４ｅ’’は、スナップカバー５’’が床固定部材４’’にスナップ留めされた状態でスナップカバー５’’の上面と面一となる。
６ｂ’’は、封水筒６’’のカップである。  
【００２２】
図８の実施形態の床排水トラップＣでは、スナップカバー５’’のスナップフック５ａ’’がスナップ留め具であるスナップバー４ｄ’’と係合し、その締付力によりエルボ１’’のフランジ１ｂ’’の下面と床固定部材４’’の環状段差部（図示せず）との間がシール３’’を介して水密となる。
シール３’’は必ずしも必須ではなく、これを省略しても、たとえば、エルボ全体がエラストマーで一体成形されている場合など、フランジの下面と環状段差部の表面とが、両者の間に間隙を生じない状態で対面可能な場合には、水密性を確保することができる。
本実施態様では、床固定部材４’’の垂直円筒部４ａ’’はその上部を除き、外筒部４ｈ’’および内筒部４ｉ’’から構成され、外筒部４ｈ’’と内筒部４ｉ’’とを接続して環状段差部（図示せず）が設けられている点で第１の実施形態と同様であるが、第２の実施形態と同様に、床固定部材４’’の垂直筒部４ａ’’を一重の円筒から構成し、その環状段差部（図示せず）と、スロート６ａ’’の上端（図示せず）と、カップ６ｂ’’の上端（図示せず）とを面一に構成してもよい。
【００２３】
図９は、本発明による床排水トラップ（９ａ）と従来の床排水トラップの一例（９ｂ）を示す上面図である。
従来の床排水トラップ（９ｂ）は、締付ナット３２を回転させ、ネジによる締付力を利用する構造であるため、漏水や滲水を防止できる締付力を確保するには、締付ナット３２は、その外周に突起部３２ａなどを設けるだけでは足りず、それ自体の径を大きくすることが必要であった。また、締め付けの際、エルボが回転してしまう問題があった。
これに対し、本発明の床排水トラップ（９ａ）では、カバー２５の一方向への動きに基づく締付力を利用するので、その平面サイズを大幅に小さくすることができる。また、カバー２５の一方向への移動のみで締付が完了するので、最初にエルボの方向を決定すれば、その方向からずれることがない。また、カバー２５の一方向の移動で各部品の取り外しができるため、点検・メンテナンスの際も簡単な動作で作業をすることができる。
このため、トラップを洗濯機と壁の間の狭隘な部分に設置する場合であっても、簡単な操作で確実に、安定した締付力で取り付けることが可能であり、水密性が操作者レベルの事情により左右されることがない。
【００２４】
図１０は、本発明による床排水トラップ（１０ａ）と従来の床排水トラップの一例（１０ｂ）とを比較した断面図である。
従来の床排水トラップ（１０ｂ）は、締付ナット５１を回転させ、ネジによる締付力を利用する構造であるため、締付ナット５１は、少なくともネジ部（図示せず）の長さ分だけ、上下に移動する。このため、エルボ５２の下面５２ａは、締付ナット５１の上下運動に支障を及ぼすことのない高い位置としなければならない。
これに対し、本発明では、カバー４１の一方向への移動に基づく締付力を利用するので、従来の床排水トラップ１０ｂのように締付ナットの回転上下動による制約がない。
すなわち、スライド係合式の実施形態の場合には、カバー４１の移動は水平方向のみであり、上下には全く移動しない。スナップ係合式の場合も、スナップ係合に要する上下動は締付ナットの上下動よりもはるかに小さい。
このように、本発明においては、エルボの高さ位置を従来技術より低くすることができる。このため、本発明によれば、排水ホースに残留する排水を大幅に減少することができる。すなわち、従来の床排水トラップでは、エルボ５２の高さ位置が高いため、これに接続された排水ホース５３の中には、１０ｂのように相当量の排水５４が残留する。これに対し、本発明では、１０ａのとおり、排水ホース４３中に残留する排水４４の量は僅少である。なお、図１０において、４５、５５は床板、４６、５６は配水管である。
【００２５】
本発明の床排水トラップは、従来の締付ナットの回転による締付力を利用する構造のものと比較して、少なくともそのネジ部の行程分だけ高さ寸法を小さくすることができるので、床下のスペースがより狭い場合であってもその取り付けが可能となる。
【００２６】
本発明の床排水トラップは、エルボを任意の方向に向けて、確実に取り付けることができる。また、カバーはエルボの垂直円筒部の３方を囲繞するにすぎないので、カバーとエルボを図４、図７に示すような位置関係とした場合には、その取り付け・取り外しが特に容易である。
【符号の説明】
【００２７】
１、１’、１’’        エルボ
１ａ、１ａ’、１ａ’’  垂直円筒部
１ｂ、１ｂ’、１ｂ’’  フランジ
２                      リング
３、３’、３’’        シール
４、４’、４’’        床固定部材
４ａ、４ａ’、４ａ’’  垂直円筒部
４ｂ                    環状段差部
４ｄ                    ガイドレール
４ｄ’’                スナップバー
５、５’                スライドカバー
５ ’’                 スナップカバー
６、６’、６’’        封水筒
【図１】
2015197036.tif 000003
【図２】
2015197036.tif 000004
【図３】
2015197036.tif 000005
【図４】
2015197036.tif 000006
【図５】
2015197036.tif 000007
【図６】
2015197036.tif 000008
【図７】
2015197036.tif 000009
【図８】
2015197036.tif 000010
【図９】
2015197036.tif 000011
【図１０】
2015197036.tif 000012
【図１１】
2015197036.tif 000013
【図１２】
2015197036.tif 000014
【図１３】
2015197036.tif 000015
【図１４】
2015197036.tif 000016